(57)【特許請求の範囲】
【請求項１】
左右独立したレンズを一体化した眼鏡レンズ組立体を眼鏡フレームに止着せしめるための眼鏡レンズ組立体の止着構造であって、左右のレンズと、左右各レンズのブリッジ側の端部を係止して両レンズを一体化させるブリッジ部材と、一端をブリッジ部材に着脱可能に嵌合して他端をフレームに止着するジョイント部材とからなり、前記ブリッジ部材は、前後上下の四面すべてにジョイント部材が着脱可能に嵌合し得る係止孔を有することを特徴とする、眼鏡レンズ組立体の止着構造。
【請求項２】
ブリッジ部材は、それぞれ両側に係止爪を有する前パーツと後パーツとから成り、前後両パーツの係止爪により左右各レンズのブリッジ側端部を挟んで前後両パーツを結合することにより、左右のレンズを係止して一体化することを特徴とする、請求項１に記載の眼鏡レンズ組立体の止着構造。
【請求項３】
前パーツと後パーツは、それぞれ前部係止孔と後部係止孔を有し、結合時に左右のレンズの相対するブリッジ側端部間に間隙を設けて左右のレンズを係止することにより、結合後のブリッジ部材の上面と下面にそれぞれ上部係止孔と下部係止孔となる開口部を形成することを特徴とする、請求項２に記載の眼鏡レンズ組立体の止着構造。
【請求項４】
前パーツと後パーツの少なくとも一方は、前後両パーツを結合せしめる一組の突起部を有し、左右のレンズのブリッジ側端部には突起部が嵌合する切欠部を有することを特徴とする、請求項３に記載の眼鏡レンズ組立体の止着構造。
【請求項５】
左右レンズのブリッジ側端部の少なくとも片面には、結合時に前後両パーツいずれかが嵌合する段差面と前後両パーツいずれかの係止爪が嵌合する係止溝を有することを特徴とする、請求項４に記載の眼鏡レンズ組立体の止着構造。
【請求項６】
ジョイント部材は、先端にロック部を設けた一組の弾性を有する係合爪を備えた略Ｕ字形を成し、ブリッジ部材への嵌合時には、係止孔に貫入した係合爪のロック部が突出部の側面に係合することでジョイント部材にブリッジ部材が止着されることを特徴とする、請求項４又は５のいずれかに記載の眼鏡レンズ組立体の止着構造。
【請求項７】
ブリッジ部材は、前後両パーツと、さらに前後両パーツの間に挟まれる一組の中間パーツとから成り、前後両パーツの少なくとも一方の一組の係止爪はそれぞれネジ孔を備え、中間パーツは対向する内側辺に凹型切欠を有し、左右のレンズのブリッジ側端部にはそれぞれ貫通孔を設け、ブリッジ部材の結合時には、貫通孔を通したネジを前後両パーツの少なくとも一方のネジ孔に羅合させることによりレンズをブリッジ部材に係止するとともに、両中間パーツの間に垂直方向の間隙を設けることにより、結合後のブリッジ部材の上面と下面にそれぞれ上部係止孔と下部係止孔となる開口部を形成することを特徴とする、請求項３に記載の眼鏡レンズ組立体の止着構造。
【請求項８】
請求項１乃至７に記載の眼鏡レンズ組立体の止着構造のいずれかを備えた眼鏡。
【発明の詳細な説明】
【技術分野】
【０００１】  本発明は、左右独立した眼鏡レンズを一体化した眼鏡レンズ組立体を眼鏡フレームに止着せしめるための止着構造、及び該止着構造を備えた眼鏡に関する。
【背景技術】
【０００２】  近年、眼鏡は消費者のニーズの変化を背景に多様化が進み、使用の目的や状況に応じて消費者が複数の眼鏡を使い分けることも一般化しており、レンズは性能の向上と多機能化が、フレームはデザインや構造の多様化が進みつつある。【０００３】  眼鏡は、使用者の視力、顔の形状、用途や使用実態等の個別情報に基づいたレンズとフレームの適切な組み合わせと微妙な加工・組立・調整が必要とされるため、従来は、主に眼鏡店が、個々の消費者の要望に応じて一点づつ加工・組立・調整を行って完成させるのが一般的であり、消費者自身がレンズやフレームを自由に交換して組み合わせを変更することは困難であるという課題があった。【０００４】  これに対しては、必要な度数が異なる場合が多い左右のレンズを、玉形中心、玉形幅、玉形高さ、玉形中心間距離、レンズ間距離等、個々の使用者ごとに計測・設定した諸元（以下「レンズ諸元」と記す。）に基づいて加工して一体化した眼鏡レンズ組立体を作成し、これをフレームに止着すれば、一つの眼鏡レンズ組立体に複数のフレームが適用可能となる。かかる構成の眼鏡については、特許文献１乃至３記載された発明のほか多数の眼鏡レンズ組立体交換式眼鏡が提案されている。【特許文献１】特開２００８−２５７１４８号公報
【特許文献２】実用新案登録第３１２４３８０号公報
【特許文献３】特開平１０−２８８７６０号公報
【０００５】  しかし、これらの先行技術は、特定の形状・構造のフレームに対応する眼鏡レンズ又は眼鏡レンズ組立体を着脱可能として交換できるものの、いずれもレンズ・フレームの双方に専用の構造が要求され、多様なデザイン・構造のフレームに適用可能なものではなく、レンズとフレームの組み合わせが限定されざるを得ない。また、フレームへのレンズの止着の構造上、レンズを取り付けるフレームのデザイン・構造が異なる場合、レンズ諸元が変動する可能性が高く、使用時の視力や見え方も異なるおそれがあるという問題を有する。そのため、かかる眼鏡レンズ組立体交換式眼鏡は、専ら既存の眼鏡に補助的に第二のレンズを装着するいわゆる「前掛け眼鏡」やレンズを一時的に跳ね上げて使用する「跳ね上げ眼鏡」等には適用されてきたものの、上記課題を解決し得るものではなかった。
【発明の開示】
【発明が解決しようとする課題】
【０００６】  本発明は、かかる事情を鑑みて為されたものであり、個々の使用者ごとに計測・設定したレンズ諸元に基づいて加工して一体化した眼鏡レンズ組立体を、多様なデザインのフレームに着脱可能に止着せしめることを可能とし、使用者が好みのフレームを自在に交換できる眼鏡レンズ組立体の止着構造及び眼鏡を提供するものである。
【課題を解決するための手段】
【０００７】  上記課題を解決するために、請求項１に記載した眼鏡レンズ組立体の止着構造は、左右独立したレンズを一体化した眼鏡レンズ組立体を眼鏡フレームに止着せしめるための眼鏡レンズ組立体の止着構造であって、左右のレンズと、左右各レンズのブリッジ側の端部を係止して両レンズを一体化させるブリッジ部材と、一端をブリッジ部材に着脱可能に嵌合して他端をフレームに止着するジョイント部材とからなり、前記ブリッジ部材は、前後上下の四面すべてにジョイント部材が着脱可能に嵌合し得る係止孔を有することを特徴とする。【０００８】  なお、前記係止孔の構成は、文字通り「孔」の形状であっても良いし、ジョイント部材と着脱可能なその他の形状であれば特に限定されない。【０００９】  前述の通り、眼鏡レンズは左右で度数が異なる場合が多く、また、左右のレンズは個々の使用者ごとに計測・設定されるレンズ諸元に基づいて最適な位置関係に保持されねばならない。通常のリム式眼鏡では、フレームのデザイン・構造に合わせてリムに嵌めこんだ際に上記レンズ諸元が実現されるよう左右のレンズを切削加工するため、加工済みのレンズを異なるフレームに転用することは基本的に困難である。リムレス式眼鏡の場合は多少許容度が大きいものの、基本的には同様である。そのため、消費者は多くの場合、眼鏡ごとにレンズとフレームをセットで購入せざるを得ない。【００１０】 請求項１に記載した発明では、左右のレンズのブリッジ側端部をブリッジ部材で係止して一体化させた眼鏡レンズ組立体を、ジョイント部材を介してフレームに止着する。ブリッジ部材のサイズや構造を規格化することにより、個々の使用者ごとに計測した度数やレンズ諸元に基づいて左右のレンズの加工範囲や配置は一意に定まり、最適な状態に一体化された眼鏡レンズ組立体を制作することができる。【００１１】また、ジョイント部材やノーズパーツの形状やその他端のフレームへの止着構造も規格化することにより、眼鏡レンズ組立体を異なるデザイン・構造のフレームに適用可能とできる。これにより、一つの眼鏡レンズ組立体につき多様なフレームを交換して使用可能となる。【００１２】  ところで、眼鏡フレームには様々な形態が存在し、大きく、フルリム型（レンズの外周全縁をリムが抱持するもの）とリムレス型（リムの一部又は全部がないもの）、ツーポイント型（リムが皆無で左右のレンズの各１点をブリッジで接続し、テンプルもレンズに直接止着するもの）に大別される。【００１３】 請求項１に記載した発明に係る眼鏡レンズ組立体は、上記のうちフルリム型とリムレス型への適用を想定している。フルリム型の場合、眼鏡レンズ組立体はリムの前方あるいは後方からフレームに止着する。リムレス型の場合は、大きく、蝶番を介してテンプルを取り付けたフレームがレンズの上方のみに位置するアッパーリム型と、下方のみに位置するロウワーリム型に分けられ、アッパーリム型に対しては眼鏡レンズ組立体は下方からフレームに止着し、ロウワーリム型に対しては上方から止着する。【００１４】  本発明に係るジョイント部材の他端側は、フレームの形態に応じて、フルリム型で眼鏡レンズ組立体を前方から止着する場合はフレームのブリッジ部分の前面部分に前方に向けて、フルリム型で眼鏡レンズを後面から止着する場合はフレームのブリッジ部分の後面部分に後方に向けて固定される。また、アッパーリム型の場合はフレームのブリッジ部分の下面部分に下方に向けて、ロウワーリム型の場合はフレームのブリッジ部分の上面部分に上方に向けて、それぞれ固定される。【００１５】  なお、ジョイント部材の他端側のフレームへの固定方法は、接着、ネジ止め、フレーム側に設けた孔への嵌合のほか、フレームとの一体成型を含め任意である。フレームに対してジョイント部材を固定するべき位置と角度については、フレームの形態に関わらず眼鏡レンズ組立体のブリッジ部材がフレームに対して所定の位置と角度で保持されるよう設定して規格化することが望ましい。【００１６】 ここで、フレームがフルリム型の場合は、眼鏡レンズ組立体を前方から止着する際にはブリッジ部材後面の係止孔に、後方から止着する際にはブリッジ部材前面の係止孔にジョイント部材を嵌合させる。一方、フレームがリムレス型の場合は、アッパーリム型の場合は、ブリッジ部材上面の係止孔に上方から、ロウワーリム型の場合は、ブリッジ部材下面の係止孔に下方からジョイント部材を嵌合させる。【００１７】  また、係止孔はジョイント部材が着脱可能に嵌合し得るから、使用者は容易にフレームを交換して眼鏡レンズ組立体を止着することができる。上述のようにブリッジ部材の形状や大きさとフレームへのジョイント部材固定の位置や角度が規格化されていれば、フレームの形態に関わらず止着された眼鏡レンズ組立体はフレームに対して所定の位置や角度に保持されるから、フレームの交換による見え方や掛け心地の変化による不都合や違和感を防止することができる。なお、ブリッジ部材自体は、ジョイント部材を着脱可能に係止できるものであれば、一体成型されたものであっても良いし、複数のパーツを組み立てて構成するものであっても良く、特に限定されない。【００１８】  次に、請求項２に記載した発明は、請求項１に記載の眼鏡レンズ組立体の止着構造であって、ブリッジ部材が、それぞれ両側に係止爪を有する前パーツと後パーツとから成り、前後両パーツの係止爪により左右各レンズのブリッジ側端部を挟んで前後両パーツを結合することにより、左右のレンズを係止して一体化することを特徴とする。【００１９】  本発明に係る眼鏡レンズ組立体は、基本的にツーポイント型の眼鏡と同様にブリッジ部材で左右のレンズを連結して一体化するものである。しかし、ツーポイント型の眼鏡がテンプルをもレンズに直接止着する構造であるため、テンプルを含めた眼鏡全体の歪みがレンズに直接影響を及ぼして見え方や掛け心地を変化させるという問題がある。これに対し、本発明では、眼鏡レンズ組立体がテンプルとは独立した構造であるため、その歪みはレンズに直接の影響を及ぼさない。【００２０】  また、ツーポイント型の眼鏡のように左右のレンズにそれぞれネジ孔を穿ち、その１点のみでネジ留めによってブリッジに接続する構造の場合、ブリッジの変形やネジ留めの緊張力がレンズの位置や角度に影響を及ぼして見え方や掛け心地を変化させるという問題がある。また、レンズ交換の際には、一旦ネジを抜脱させてから改めてネジ留めを行う必要があり、眼鏡���等の専門技術者でなければレンズへのネジ孔の掘削や適正なネジ留めは難しい。【００２１】これに対し、本発明では、ブリッジ部材が、それぞれ両側に係止爪を有する前パーツと後パーツとから成り、前後両パーツの係止爪により左右各レンズのブリッジ側端部を挟んで前後両パーツを結合することにより、左右のレンズを係止して一体化するため、レンズ自体にネジ孔を穿つ必要はなく、ネジ留めに伴うレンズへの緊張力も生じない。また、レンズは前後両パーツの係止爪に挟まれてブリッジ部材に係止されるため、係止によるレンズの変形を極小化できるだけでなく、フレームに対するレンズの位置や角度が一意に決定され、眼鏡の使用中に容易に変化することが防がれる。さらに、ネジのような別個の止着部材や専門的技術を要するネジ留め作業も不要であるから、使用者は必要に応じて独力でレンズを交換することができる。【００２２】なお、ブリッジ部材が有する係止爪の構成は、文字通り「爪状」の形状に限定されるものではなく、前後両パーツの一部がレンズのブリッジ側端部を挟んで前後両パーツを結合することにより、左右のレンズを係止可能であれば良く、また、必ずしも前後パーツの係止爪が同一又は対照の形状である必要はない。【００２３】  次に、請求項３に記載した発明は、請求項２に記載の眼鏡レンズ組立体の止着構造であって、前パーツと後パーツが、それぞれ前部係止孔と後部係止孔を有し、結合時に左右のレンズの相対するブリッジ側端部間に間隙を設けて左右のレンズを係止することにより、結合後のブリッジ部材の上面と下面にそれぞれ上部係止孔と下部係止孔となる開口部を形成することを特徴とする。【００２４】  かかる構成によれば、結合後のブリッジ部材には前面、後面、上面、下面のすべてに同時に係止孔を設けることができるから、眼鏡レンズ組立体を前記すべての形態のフレームに適用可能となる。なお、この場合に形成される係止孔は、その内部構造を含めすべて同一の大きさ及び形状となるようにすることが適当である。【００２５】  次に、請求項４に記載した発明は、請求項３に記載の眼鏡レンズ組立体の止着構造であって、前パーツと後パーツの少なくとも一方は、前後両パーツを結合せしめる一組の突起部を有し、左右のレンズのブリッジ側端部には突起部が嵌合する切欠部を有することを特徴とする。【００２６】  上述の通り、レンズはそのブリッジ側端部が前後パーツの係止爪に挟まれる形でブリッジ部材に一体的に係止されるのでレンズが前後方向への移動が規制されるが、本発明の構成によれば、レンズの切欠部がブリッジ部材が有する突起部に嵌合するのでレンズの上下左右方向への移動も規制され、レンズは所定の位置に位置決めされる。【００２７】  また、レンズ側の切欠部の形状とブリッジ部材側の突起部の断面形状や大きさを規格化しておけば、切欠部の長さ、すなわち突起部への嵌合位置を使用者ごとのレンズ諸元に応じて設定することにより、個々のレンズの大きさや形状に関わらず、同じ設定の切欠部を設けたレンズの中心のブリッジ部材に対する位置は一意に定まる。これにより、使用者は、あらかじめ突起部への嵌合位置を適切に設定した切欠部を有する複数のレンズを、一つのブリッジ部材に対して自在に交換して使用可能となる。【００２８】  また、左右のレンズの形状を、それぞれブリッジ部材側に突出する突出部を設けた形状とし、突出部の先端に切欠部を設けるように構成すれば、レンズの突出部をブリッジ部材にて挟む形で眼鏡レンズ組立体を構成することができる。かかる構成では、レンズ本体、すなわち玉形範囲内にブリッジ部材の係止爪が侵入せぬよう構成できるので、使用者の視界がより広く確保できる。また、係止爪に挟まれ、切欠部が突起部に嵌合する箇所を突出部のみに限定できるので、ブリッジ部材への係止によるレンズ本体への歪み等の影響を低減できる。【００２９】  なお、かかる突起部を有するレンズは、本願発明者の有する特許発明（特許第５０４６３３３号：眼鏡レンズの歪防止構造、眼鏡レンズの切削加工方法）の眼鏡レンズの切削加工方法により安価かつ効率的に製造することができる。該切削加工方法によれば、眼鏡レンズの外側に円弧中心位置を有する逆円弧状曲線部をなす円弧部を設けたレンズが得られるため、突出部を有する左右のレンズをブリッジ部材に結合して一体化した眼鏡レンズ組立体は、左右のレンズの外縁部を連続的かつ一体的な曲線にでき、デザイン上も優れたものとすることができる。【００３０】  次に、請求項５に記載した発明は、請求項４に記載の眼鏡レンズ組立体の止着構造であって、左右レンズのブリッジ側端部の少なくとも片面に、結合時に前後両パーツいずれかが嵌合する段差面と前後両パーツいずれかの係止爪が嵌合する係止溝を有することを特徴とする。【００３１】  本発明に係る構成によれば、たとえばレンズのブリッジ側端部の前面に段差面を設けておけば、前パーツの厚みの一部または全部をレンズのブリッジ側端部表面に埋め込む形とできるため、レンズと前パーツとの一体性を高めることができ、眼鏡レンズ組立体の前面外観デザインを優れたものとすることができる。【００３２】  また、係止爪を係止溝に嵌合させることにより、係止爪自体の厚みの一部又は全部をレンズ表面に埋め込む形とできるため、デザイン上の一体性を高めることができるだけでなく、係止爪がレンズ表面上でズレることを防止するため、ブリッジ部材へのレンズの結合がより確実となる。【００３３】  次に、請求項６に記載した発明は、請求項４又は５に記載の眼鏡レンズ組立体の止着構造であって、ジョイント部材が、先端にロック部を設けた一組の弾性を有する係合爪を備えた略Ｕ字形を成し、ブリッジ部材への嵌合時には、係止孔に貫入した係合爪のロック部が突出部の側面に係合することでジョイント部材にブリッジ部材が止着されることを特徴とする。【００３４】  本発明の構成によれば、係合爪側がジョイント部材の一端となり、略Ｕ字形の底部を他端としてフレームに固定する。眼鏡レンズ組立体をフレームに止着する場合は、係合爪側をブリッジ部材の係止孔に挿入することにより、ブリッジ部材の内部で、係合爪の先端に設けたロック部が突出部に係合する。止着時には、係合爪自体の弾性反発によりロック部が突出部の側面に押圧されてブリッジ部材とジョイント部材が確実に係合され、眼鏡レンズ組立体とフレームとの止着が完了する。【００３５】かかる係合の強さは、眼鏡使用時の使用者の動きや振動程度では眼鏡レンズ組立体が���易にフレームから脱落せず、かつ、使用者がフレームと眼鏡レンズ組立体を両手で分離しようとした場合は、係合が解けてジョイント部材を係止孔から抜脱可能な程度とする。また、後述の通り、ノーズパーツを装着することにより、その装着部が係合爪の間に入り込んで嵌合するため、ダブルロック状態となるため、係合はより確実となる。これにより、使用者は工具等を一切用いることなく、簡単に眼鏡レンズ組立体をフレームに着脱できる。【００３６】  次に、請求項７に記載した発明は、請求項６に記載の眼鏡レンズ組立体の止着構造であって、ブリッジ部材が、前後両パーツと、さらに前後両パーツの間に挟まれる一組の中間パーツとから成り、前後両パーツの少なくとも一方の一組の係止爪はそれぞれネジ孔を備え、中間パーツは対向する内側辺に凹型切欠を有し、左右のレンズのブリッジ側端部にはそれぞれ貫通孔を設け、ブリッジ部材の結合時には、貫通孔を通したネジを前後両パーツの少なくとも一方のネジ孔に羅合させることによりレンズをブリッジ部材に係止するとともに、両中間パーツの間に垂直方向の間隙を設けることにより、結合後のブリッジ部材の上面と下面にそれぞれ上部係止孔と下部係止孔となる開口部を形成することを特徴とする。【００３７】  本発明の構成では、左右のレンズのブリッジ側端部にはツーポイント型眼鏡に用いるレンズと同様に貫通孔を設ける。また、前後両パーツの少なくとも一方の一組の係止爪にそれぞれネジ孔を設け、ネジによってレンズを直接ブリッジ部材に止着する。【００３８】  かかる構成においては、前後両パーツの係止爪にネジ孔を設け、レンズを前後の係止爪に挟んだ状態でまとめてネジ留めしても良いし、前後いずれかのパーツの係止爪のみにネジ孔を設け、レンズと当該パーツの係止爪とのみをネジ留めしても良い。    【００３９】  前述の通り、レンズをブリッジ部材に直接ネジ留めする場合、ネジ留めの緊張力がレンズの位置や角度に影響を及ぼすおそれやネジ留め作業の手間が生じる。しかし、度数の無いサングラス用レンズや、たとえばウェアラブルコンピュータのディスプレイ・スクリーン用レンズ等、度付レンズほど厳密なレンズ諸元が要求されない場合、あるいは、左右のレンズ自体を別々に交換する必要がない場合には、ネジ留めでのより確実なレンズの固定が適当である。また、その場合であっても、眼鏡レンズ組立体自体はジョイント部材によってフレームに容易に着脱可能であり、複数のフレームを交換して使用することができる。【００４０】  また、本発明の構成では、上部係止孔と下部係止孔を形成するために、前後両パーツの間に一組の中パーツを垂直方向の間隙を設けて挟み、結合後のブリッジ部材の上面と下面に、前後両パーツと一組の中パーツで囲まれた開口部を形成して係止孔としている。【００４１】  さらに、中パーツは、それぞれ内側辺に凹型切欠を有するため、前後両パーツに挟んで結合させた状態で、ブリッジ部材の内部に前後両パーツの両方又はいずれかに設けた係止孔に対応する水平方向の間隙を形成する。【００４２】  かかるブリッジ部材の構成によれば、請求項６に記載の発明に係る略Ｕ字形のジョイント部材を、上方、下方、前方、後方のいずれからも嵌合させて眼鏡レンズ組立体���該ジョイント部材を固定したフレームに止着できる。具体的には、係止孔に貫入させたジョイント部材の係合爪先端のロック部がブリッジ部材の内部で両中パーツの凹型切欠の断面に係合し、眼鏡レンズ組立体とフレームとの止着が完了する。【００４３】  最後に、請求項８に記載した発明は、請求項１乃至７に記載の眼鏡レンズ組立体の止着構造のいずれかを備えた眼鏡である。フレームの形態は、フルリム型はもちろん、フレームがレンズの上部に位置するアッパーリム型、下部に位置するロウワーリム型のいずれのリムレス型にも適用可能であり、フルリム型の場合は、眼鏡レンズ組立体を前方、後方のいずれの方向から止着する眼鏡であっても適用可能である。
【発明の効果】
【００４４】  以上述べた本発明に係る眼鏡レンズ組立体の止着構造は、フレームにレンズを組み込むという従来の眼鏡の構成に対して、眼鏡レンズ組立体とノーズパッドを使用者ごとに独立したセットとして提供し、これをジョイント部材を有する複数のフレームに止着可能とする構成を特徴としていることから、次のような技術的効果を奏する。【００４５】（１）個々の使用者についての計測データにより定まるレンズ諸元に基づいて製作した眼鏡レンズ組立体は、本発明に係るジョイント部材を所定の位置及び角度で固定したあらゆる形態のフレームに止着して使用できる。そのため、使用者は、少なくとも一つの眼鏡レンズ組立体を保有しさえすれば、多種多様なフレームを自在に交換して組み合わせることができ、フレームの交換による見え方や掛け心地の大きな変化等の不都合も生じないため、使用者にとって眼鏡デザインの選択上の自由度を大きく拡大する効果を奏する。また、交換するべきはフレームだけで済むので、複数の眼鏡を購入することに比べて、使用者のコスト負担は大幅に低減可能となる。また、逆に、用途や使用実態に応じたレンズによる複数の眼鏡レンズ組立体を保有していれば、それらを同じフレームに交換して止着して使用できる。【００４６】（２）従来、レンズの破損や度数の進行等の都度、使用者は、眼鏡店等に足を運んで眼交換用レンズを発注するか眼鏡自体を預けるかし、レンズの切削加工・フレームへの装着後に、改めて眼鏡店等に出向いて調整を受ける必要があった。しかし、請求項１乃至７に係る眼鏡レンズ組立体の止着構造を適用すれば、使用者は、自分のレンズ諸元に基づく所定の切欠部や係止溝等を切削加工した同じレンズを入手しさえすれば、専門的な技術や工具を必要とせずに、自ら簡単にレンズを着脱でき、精密な調整も不要である。また、あらかじめ切削加工済の予備のレンズを用意しておけば、直ちにレンズを交換して眼鏡の使用を継続することもできる。そのため、眼鏡のレンズ交換における使用者の労力や時間を大きく削減でき、眼鏡の使用不能期間も短縮できるという効果を奏する。【００４７】（３）フレームの構造設計やデザイン上の自由度を大幅に拡大する効果を奏する。従来は、度付レンズの使用を前提とする限り独立した左右のレンズを使用するため、量産フレームの構造やデザインにおいては、レンズ諸元を最大公約数的な範囲に収める必要があり、これがレンズの装着位置や装着方法、ひいてはフレームの構造やデザインを制約していた。しかし、本発明に係る眼鏡レンズの止着構造を適用すれば、ジョイント部材を固定する位置や角度についての所定の規格以外の制約は大幅に減少するから、フレームのデザイナーにとってのデザインの自由度は飛躍的に拡大する。
【発明を実施するための最良の形態】
【００４８】  以下に、本発明を実施するための形態について、図面を参照して説明する。【００４９】（第一実施形態）  図１及び図２は、本発明の第一実施形態に係る眼鏡レンズ組立体１の構成を示す各部材の分解図であり、図１は前方から、図２は後方から見た状態を示す。眼鏡レンズ組立体１は、左右のレンズ１０Ｒ、１０Ｌと、ブリッジ部材２を構成する前パーツ２０と後パーツ３０、ジョイント部材５０とから成り、ロウワーリム型フレームに適用する場合を除き、ノーズパーツ４０を装着して使用する。【００５０】  図３は、ブリッジ部材２の詳細を示す拡大図であり、上図は前方から、下図は後方から見た状態を示す。ブリッジ部材２は、前パーツ２０と後パーツ３０とから成り、いずれもパーツ本体２１、３１の両側部に一組の係止爪２２、３２が突出するとともに、各パーツ本体２１、３１は、それぞれ中央部に略長方形の係止孔２３、３３を備える。また、本第一実施形態では、前パーツ２０のパーツ本体２１はその背面の係止孔２３の外側に突出する略円柱形の一組の突起部２５を有し、後パーツ３０のパーツ本体３１はその背面の係止孔３３の外側に一組の貫通孔３４を有している。そして、各突起部２５にはそれぞれ盲管ネジ孔２６を設けている。前後パーツ２０、３０の結合は、一組の突起部２５をそれぞれ一組の貫通孔３４に嵌合させ、後パーツ３０側から貫通孔３４を通したネジ（図示せず）を盲管ネジ孔２６に羅合させて行うが、結合状態において、前後パーツ２０、３０の間には突起部２５によって所定の間隔が保たれる。なお、一組の突起部２５と一組の貫通孔３４は、それぞれ前後パーツ２０、３０のいずれに設けても良いが、ブリッジ部材２の正面にネジ頭が露出させると外部からの美観を損ねるので、図の通りの配置がより望ましい。なお、前パーツ２０の背面の係止孔２３の上方には後述のノーズパッドの先端を固定するための凹部２４を設けている。【００５１】  図４は、ノーズパーツ４０の拡大図である。ノーズパーツ４０は、鞍型のノーズパーツ本体４１の上部に装着部４２が突出し、使用者の鼻に当たる部分には一組のパッド４３を備える。また、装着部４２の先端部正面には、ブリッジ部材２に装着した際に前記凹部２４に嵌合する凸部４４を備え、これによりノーズパーツ４０の脱落が防止される。【００５２】  図５は、ジョイント部材５０の拡大図である。ジョイント部材５０は、先端にロック部５２を設けた一組の弾性を有する係合爪５１を備えた略Ｕ字形を成し、ブリッジ部材２への嵌合時には、いずれかの係止孔に貫入した係合爪５１のロック部５２が突出部２５の側面に係合することでブリッジ部材２に止着される。【００５３】  ジョイント部材５０は係合爪側がその一端となり、略Ｕ字形の底部をその他端としてフレーム６０に固定する。眼鏡レンズ組立体１をフレーム６０に止着する場合は、係合爪側をブリッジ部材２の係止孔のいずれかに挿入することにより、ブリッジ部材２の内部で、係合爪５１の先端に設けたロック部５２が突出部２５に係合する。かかる状態で、係合爪５１自体の弾性反発によりロック５２部が突出部２５の側面に押圧されてブリッジ部材２とジョイント部材５０が確実に係合され、眼鏡レンズ組立体１とフレーム６０との止着が完了する。なお、一組の係合爪５１間の間隔は、ノーズパーツ４０の装着部４２の幅と一致させており、ブリッジ部材２にノーズパーツ４０とジョイント部材５０の両方を装着した際に、装着部４２がジョイント部材５０の略Ｕ字形の内側面にぴったり嵌合する形となる。これにより、ジョイント部材５０は係合爪５１のロック部５２とノーズパーツ４０の装着部４２とによりダブルロック状態となり、ブリッジ部材２に確実に固定される。【００５４】  図６は、本第一実施形態に係るレンズ１０のうち左側のレンズ１０Ｌを正面から見た拡大図である。レンズ１０Ｌのブリッジ側端部１１の先端には水平右方向に向けて突起部２５の断面直径より僅かに小さな幅の切欠部１２を設けており、その内部には突起部２５の断面形状に対応する略円形の嵌合孔１３を形成している。レンズ１０Ｌをブリッジ部材２に装着した際には、突起部２５が切欠部１２に進入し、突起部２５の円形断面が嵌合孔１３に嵌合することでブリッジ側端部１１がブリッジ部材２内の所定の位置に固定される。レンズ１０Ｌの素材を一定の弾性を有する樹脂等とした場合、突起部２５は切欠部１２の入口を僅かに押し拡げつつ侵入し、嵌合孔１３に嵌合した際に切欠部はその弾性により原状復帰する。そのため、レンズ１０Ｌに嵌合による歪みが生じることはなく、また、使用者はレンズ１０Ｌがブリッジ部材２に適正に装着されたことを適度なクリック感により感知できる。【００５５】  また、ブリッジ側端部１１はレンズ１０Ｌの表面よりやや薄く整形することで段差面１４を成し、レンズ１０Ｌの表面には切欠部１２の延長線上右方向に向けて係止爪２２に対応した形状の係止溝１５を設けている。レンズ１０Ｌの装着時には、突起部２５が嵌合孔１３に嵌合すると同時に、前パーツ２０の側辺が段差面１４を覆いつつ段差に突合し、係止爪２２が係止溝１５に嵌合する。本第一実施形態では、レンズ１０Ｌの裏面も同様の切削加工を施して後パーツ３０、係止爪３２がそれぞれ裏面の段差面１４、係止溝１５に嵌合するため、レンズ１０Ｌは前後パーツ２０、３０及び係止爪２２、３２により表裏両面から挟まれる形でブリッジ部材２に固定される。【００５６】この際、レンズ１０Ｌは、突起部２５と嵌合孔１３の嵌合により左右方向の、前後パーツ２０、３０の側辺と段差との嵌合により上下方向の、係止爪２２、３２と表裏の係止溝１５の嵌合により前後方向の位置決めが成されるため、ブリッジ部材２に装着されたレンズ１０Ｌは左右・上下・前後のいずれの方向にもズレを生ずることなく固定されるのである。【００５７】なお、レンズ１０Ｒについてはレンズ１０Ｌと対照形を成すため図面を省略している。また、本第一実施形態では、レンズ１０への段差面１４、係止溝１５の切削加工をレンズ両面に施しているが、眼鏡レンズ組立体のデザイン上の条件によっては、片面のみに切削加工を施しても良く、その場合であっても上述のズレを生じない固定は可能である。【００５８】ここで、ブリッジ部材２及び内部の突起部２５、係止爪２２、３２の形状や配置を規格化するとともに、レンズ１０Ｌへの切欠部１２及び嵌合孔１３、段差面１４、係止溝１５の形状やサイズ、配置を使用者のレンズ諸元に基づく仕様データ��して数値化すれば、眼鏡レンズ組立体１の仕様は一意に定まるから、使用者ごとにあらかじめ計測・設定したレンズの仕様データさえ得れば、レンズメーカー、フレームメーカー、眼鏡店等のいずれを問わず、都度の計測を行うことなく使用者に適合した眼鏡レンズ組立体をいつでも製作できる。また、レンズの片方を破損したような場合でも、使用者は、仕様データをレンズメーカーに伝えて新しいレンズを発注するだけで、届いたレンズを自ら交換装着して、容易に適正な状態で使用することが可能となる。【００５９】次いで、図７乃至図１１は、本第一実施形態に係る眼鏡レンズ組立体１の組立状態を示す図である。図７及び図８は、眼鏡レンズ組立体１を後方から見た図であり、後パーツ３０を省略して、ノーズパーツ４０を下方から、ジョイント部材５０を上方から装着する場合の状態を、図９は、後パーツを装着してネジ３４を締結して眼鏡レンズ組立体を完成させた状態を示している。【００６０】図１０及び図１１は、眼鏡レンズ組立体１を前方から見た図であり、図１０は、前パーツ２０を省略してジョイント部材５０の装着状態を見た図、図１１は、前パーツ２０を装着して眼鏡レンズ組立体を完成させた状態を示している。【００６１】ここで、図７、図８、図１０から分かるように、ジョイント部材５０をブリッジ部材２に上方から下方に向けて装着した後に、ノーズパーツ４０をブリッジ部材２に下方から上方に向けて装着すると、ノーズパーツ４０の装着部４２がジョイント部材５０の一組の係合爪５１の間にぴったりと嵌合し、係合爪５１の間隔を押し拡げて突起部２６の側面に押し付ける形となる。このため、フレームへ眼鏡レンズ組立体１を止着した際に係合爪５１と突起部２６の嵌合によって第一段階の固定がなされた後に、ノーズパーツ４０を装着することでより強固に固定されるのである。かかるダブルロック機構により、フレームへの眼鏡レンズ組立体１の止着は確実なものとなる。【００６２】次に、図１２乃至図２３は、本発明の第一実施形態に係る眼鏡レンズ組立体１の止着構造を適用した眼鏡を例示するものである。【００６３】このうち、図１２乃至図１４は、いわゆるアッパーリム型のフレーム６０に眼鏡レンズ組立体１を適用した眼鏡を示し、図１２は、眼鏡レンズ組立体１にフレーム６０、ノーズパーツ４０を装着する前の状態を斜め前方から見た図である。フレーム６０は、アッパーリムにテンプルを一体的に取り付けた形状を有し、アッパーリムの中央下面にジョイント部材５０を一組の係号爪を下方に向けて固定している。アッパーリムへのジョイント部材５０の固定は、接着、ネジ留め、嵌合等、方法は任意であるが、フレーム６０を金属又は合成樹脂等の素材とする場合は、フレーム６０にジョイント部材５０を一体成型して設けても良い。【００６４】図１３は、前図と同じ状態を後斜め下方から見た図である。ブリッジ部材２の前後パーツ２０、３０の間に生じた間隙のうち、上側を上部係止孔としてジョイント部材５０を嵌合し、下側を下部係止孔としてノーズパーツ４０を装着することにより、眼鏡が完成する。図１４は、完成したアッパーリム型の眼鏡を示す斜視図である。【００６５】図１５乃至図１７は、いわゆるフルリム型のフレーム６��に前方から眼鏡レンズ組立体１を適用した眼鏡を示す。図１５は、眼鏡レンズ組立体１にフレーム６１、ノーズパーツ４０を装着する前の状態を斜め前方から見た図である。フレーム６１は、ブリッジ部分中央の前面にジョイント部材５０を、一組の係合爪を前方に向けて固定している。フレーム６１へのジョイント部材５０の固定は、接着、ネジ留め、嵌合等、方法は任意であるが、フレーム６１を金属又は合成樹脂等の素材とする場合は、フレーム６１にジョイント部材５０を一体成型して設けても良い。【００６６】図１６は、前図と同じ状態を上方から見た図である。ジョイント部材５０を眼鏡レンズ組立体１の後パーツ３０に設けた係止孔３３に嵌合することで、フレーム６１に眼鏡レンズ組立体１を止着し、ノーズパーツ４０は、ブリッジ部材２の下部に形成された係止孔に装着される。【００６７】図１７は、フレーム６１への眼鏡レンズ組立体１とノーズパーツ４０の装着を完了した完成状態を示す。本図では、フレーム６１と眼鏡レンズ組立体１の構造上、レンズ１０Ｒ、１０Ｌの外側縁はフレーム６１のリムに抱持されずにリムの前方に保持される形となる。かかる構造は、近年普及が進みつつあるファッション性を重視した眼鏡には一般的に見られるデザインを構成するものであり、眼鏡レンズ組立体１はジョイント部材５０によってフレーム６１に対して常に適正に配置されて止着されるので、レンズ１０Ｒ、１０Ｌの外側縁をリムによって抱持する必要はないが、デザイン上の要請からレンズ１０Ｒ、１０Ｌの外側縁をリムの前方に突出させずにリム内に収めることももちろん可能である。その場合、眼鏡使用中のフレーム６１やリムの歪みがレンズ１０Ｒ、１０Ｌに影響を及ぼさないよう、レンズとリムとの間に僅かな間隙を設けるようにフレームを設計することが望ましい。【００６８】図１８乃至図２０は、いわゆるフルリム型のフレーム６２に後方から眼鏡レンズ組立体１を適用した眼鏡を示す。図１８は、眼鏡レンズ組立体１にフレーム６２、ノーズパーツ４０を装着する前の状態を斜め前方から見た図である。フレーム６２は、ブリッジ部分中央の背面にジョイント部材５０を、一組の係合爪を後方に向けて固定している。フレーム６２へのジョイント部材５０の固定は、接着、ネジ留め、嵌合等、方法は任意であるが、フレーム６２を金属又は合成樹脂等の素材とする場合は、フレーム６２にジョイント部材５０を一体成型して設けても良い。【００６９】図１９は、前図と同じ状態を斜め上後方から見た図である。フレーム６２のブリッジ部背面にはジョイント部材５０を後方に向けて固定しているほか、眼鏡レンズ組立体１を装着した際に前パーツ２０の一組の係止爪２２を嵌合させるための切欠き６５を設けており、ジョイント部材５０を眼鏡レンズ組立体１の前パーツ２０に設けた係止孔２３に嵌合することで、フレーム６２に眼鏡レンズ組立体１を止着し、ノーズパーツ４０は、ブリッジ部材２の下部に形成された係止孔に装着される。【００７０】図２０は、フレーム６２への眼鏡レンズ組立体１とノーズパーツ４０の装着を完了した完成状態を示す。本図では、フレーム６２と眼鏡レンズ組立体１の構造上、レンズ１０Ｒ、１０Ｌの外側縁はフレーム６２のリムに抱持され��にリムの後方に保持される形となる。かかる構造も、近年普及が進みつつあるファッション性を重視した眼鏡には一般的に見られるデザインを構成するものであり、眼鏡レンズ組立体１はジョイント部材５０によってフレーム６２に対して常に適正に配置されて止着されるので、レンズ１０Ｒ、１０Ｌの外側縁をリムによって抱持する必要はないが、デザイン上の要請からレンズ１０Ｒ、１０Ｌの外側縁をリムの後方に突出させずにリム内に収めることももちろん可能である。その場合、眼鏡使用中のフレーム６２やリムの歪みがレンズ１０Ｒ、１０Ｌに影響を及ぼさないよう、レンズとリムとの間に僅かな間隙を設けるようにフレームを設計することが望ましい。【００７１】図２１乃至図２３は、いわゆるロウワーリム型のフレーム６３に眼鏡レンズ組立体１を適用した眼鏡を示し、図２１は、眼鏡レンズ組立体１にフレーム６３を装着する前の状態を斜め前方から見た図である。この眼鏡の場合、フレーム６３のブリッジ部にノーズパッドを取り付けるか一体成型するかすることが可能なので、部材としてのノーズパーツ４０は不要である。フレーム６３は、ロウワーリムにテンプルを一体的に取り付けた形状を有し、ロウワーリムのブリッジ部上面にジョイント部材５０を一組の係号爪を上方に向けて固定している。ロウワーリムへのジョイント部材５０の固定は、接着、ネジ留め、嵌合等、方法は任意であるが、フレーム６３を金属又は合成樹脂等の素材とする場合は、フレーム６３にジョイント部材５０を一体成型して設けても良い。【００７２】図２２は、前図と同じ状態を前方から見た図である。ブリッジ部材２の前後パーツ２０、３０の間に生じた間隙のうち、下側を下部係止孔としてジョイント部材５０を嵌合することにより、眼鏡が完成する。図２３は、完成したロウワーリム型の眼鏡を示す斜視図である。【００７３】（第二実施形態）図２４乃至図２８は、本発明の第二実施形態に係る眼鏡レンズ組立体３の構成を示す各部材の分解図であり、図２４は前方から見た状態を示す斜視図であり、図２５、２６はブリッジ部材４の組み付け状態を後方から見た拡大図、図２７は同じく上方から見た平面図、そして、図２８は本第二実施形態に係る眼鏡レンズ組立体３を完成させた状態を前方から見た図である。眼鏡レンズ組立体３は、左右のレンズ７０Ｒ、７０Ｌと、ブリッジ部材４を構成する前パーツ８０、後パーツ９０、一組の中パーツ８５、及びノーズパーツ４０、ジョイント部材５０とから成る。なお、ノーズパーツ４０とジョイント部材５０は第一実施形態で使用するものと共通である。【００７４】前パーツ８０は、パーツ本体８１の両側部に一組の係止爪８３が突出し、各係止爪８３は、その先端部裏面には盲管ネジ孔８４を備える。後パーツ９０は、パーツ本体９１の両側部に一組の係止爪９３を有する。また、パーツ本体８１、９１は、それぞれ中央部に略長方形の係止孔８２、９２を備える。一組の中パーツ８５は、前後両パーツの間に挟まれ、対向する内側辺に凹型切欠８６を有するとともに、その外側面はそれぞれレンズ７０Ｒ、７０Ｌのブリッジ側端部の外縁形状に対応する形状とする。ブリッジ部材４の結合時には、両中パーツ８５の間に垂直方向の間隙を設けることにより、��合後のブリッジ部材４の上面と下面にそれぞれ上部係止孔と下部係止孔となる開口部を形成する。【００７５】本第二実施形態に係るレンズ７０Ｒ、７０Ｌは、いずれもいわゆる玉型の形状とし、ブリッジ側端部にはそれぞれ貫通孔７１と、裏面に係止爪９３に対応する切欠部７２を設けている。レンズ７０Ｒ、７０Ｌをブリッジ部材４に装着する際には、前パーツ８０の係止爪８３裏面の盲管ネジ孔８４と、レンズの貫通孔７１を一致させた上で、ネジ９４を貫通孔７１に通して盲管ネジ孔８４に羅合させて固定する。【００７６】また、後パーツ９０は、一組の中パーツ８５を介して前パーツ８０の裏面に取り付ける。この際、中パーツ８５は垂直方向の間隙を設ける形で前後パーツ８０、９０に挟まれる形となる。ここで、各中パーツ８５の厚みをそれぞれレンズ７０Ｒ、７０Ｌの切欠部７２におけるレンズの厚みと一致させ、各中パーツ８５の裏面と切欠部７２の底部とを面一と成さしめるとともに、後パーツ９０の厚みを切欠部７２の深さと一致させておくことにより、レンズ７０Ｒ、後パーツ９０、レンズ７０Ｌの裏面が凹凸の無い一体的な連続面となり、デザイン上優れたものとできる。また、本第二実施形態では、前パーツ８０、中パーツ８５、後パーツ９０は、相互に接着している。【００７７】なお、図示はしていないが、本第二実施形態では、後パーツの係止爪９３を前パーツ８０の係止爪８３と同長として、その先端部にレンズの貫通孔７１に対応する貫通ネジ孔（図示せず）を設け、切欠部７２を貫通孔７１を含めて係止爪９３が嵌合する形状とすれば、ネジ９４で後パーツ９０、レンズ７０、前パーツ８０を一体的に係止することもできる。さらに、前後パーツ８０、９０の配置は、レンズへの切欠部７２の設置位置とともに前後を逆転させても良いが、ブリッジ部材４の正面にネジ頭が露出させると外部からの美観を損ねるので、図の通りの配置がより望ましい。【００７８】図２９乃至図３６図は、本第二実施形態に係る眼鏡レンズ組立体３をアッパーリム型の眼鏡に適用した場合を例示する図である。図２９及び図３０は、リムとテンプルが一体となった略Ｕ字形のフレーム６４のブリッジに相当する位置の下面にステー６６を介して一組の係合爪６７を下方に向けて設置することで、フレームとジョイント部を一体成型しており、眼鏡レンズ組立体３はブリッジ部材４の上部の係止孔によって下方からフレーム６４に止着される。また、図３１及び図３２は、同様の一体成型により、ステー６８ａを介して一組の係合爪６９を後方に向けて設置したフレーム６４を用いた例であり、眼鏡レンズ組立体３はブリッジ部材４の前パーツ８０に設けた係止孔８２によって後方からフレーム６４に止着される。これらの例は、サングラスのほか、３Ｄ映画鑑賞用の専用眼鏡やウェアラブルコンピュータのディスプレイ・スクリーン用レンズ等、軽量かつ比較的簡易な構造の眼鏡への適用が好適である。【００７９】ところで、使用者の顔のタイプ、特にノーズパッドを載せる鼻とテンプルを載せる耳の位置関係によっては、眼鏡の着装時におけるフレームの保持角度が異なる。その結果、図３３に示すようにフレームに対するレンズの傾斜角度も変化し、使用者の眼とレンズ軸との角度も変化するため��レンズの性能が十分に発揮できないおそれが生じる。従来の眼鏡では、いわゆる「レンズ跳ね上げ式」の眼鏡を除き、レンズはフレームに固定されており、眼に対するレンズ軸の傾斜角度を調節することはできないため、特定のフレームのデザインが気に入っても使用者の顔のタイプに適合しない場合もあり、フレームの選択肢が制約される場合があった。【００８０】しかし、本発明を適用した眼鏡の場合、レンズを固定した眼鏡レンズ組立体はフレームとは独立しているため、フレームへのジョイント部材の取付部に角度調整機構を設ければ、眼鏡レンズ組立体全体のフレームに対する傾斜角度を変化させることができるので、使用者の目に対するレンズ軸の角度を最適に調整することが可能となる。【００８１】たとえば、図２９乃至図３２に示したアッパーリム型のフレーム６４、６５に、図３４に示すような取付角度調整機構を有するジョイント部材５３を用いれば、眼鏡レンズ組立体全体のフレームに対する傾斜角度を変化させることができる。ジョイント部材５３は、フレームへの取付部分５４を可塑性を有する素材で構成して任意の角度に曲げることができるものとしているが、傾斜機構は、二つの部材から構成したジョイント部材５３をネジ等により任意の傾斜角度で固定可能としても良く、その構成は特に限定されない。【００８２】図３５は、上記の取付角度調整機構を有するジョイント部材５３をフレーム６５に適用した眼鏡の一例の部材の分解図であり、図３６はその完成図である。フレーム６５はブリッジ部分にジョイント部材５３を固定するステー６８bを備えている。【００８３】  以上、本発明に係る眼鏡レンズ組立体の止着構造及び該止着構造を適用した眼鏡に係るの実施形態の具体的な構成について詳細に説明したが、本発明は上記実施形態に限定されるものではなく、本発明の技術的思想の範囲内において改良又は変更が可能であり、それらは本発明の技術的範囲に属するものである。
【産業上の利用可能性】
【００８４】  本発明に係る眼鏡レンズ組立体の止着構造及び該止着構造を適用した眼鏡によれば、多種多様なフレームを自在に交換可能で、専門的な技術や工具を必要とせずに、自ら簡単にレンズを着脱でき、精密な調整も不要な眼鏡を低コストで提供できるので、消費者にとっての利便性と商品選択の自由度を拡大できる。また、フレームの構造設計・デザインの制約も低減できるため、従来以上に多様でユニークな眼鏡フレームの開発を促進できる。さらに、本発明が普及すれば、次に述べるように、眼鏡やその部品の流通構造自体を変化させ得る効果も期待できる。【００８５】まず、レンズメーカー、フレームメーカー、眼鏡販売店の連携強化を通じて、使用者の選択肢の拡大、使用者のニーズをより反映させた商品提案が可能となる。眼鏡及びその部品は、量産品としての特性と、使用者の視力や顔の特性等のデータ、用途や使用実態等のニーズに応じて一品ごとに完成させる受注生産品としての特性を兼ね備えた製品であり、かかるデータやニーズ等の使用者情報の収集と製品のカスタマイズは主に眼鏡店で行われる。医療上の適正な矯正視力は眼科医で処方される場合が多いが、最終的には眼鏡店で眼鏡ごとにその使用実態・ニーズに適応した実用矯正視力を決定する。【００８６】従来は、一部の例外を除き、レンズメーカーはレンズの、フレームメーカーはフレームの開発・製造に特化して量産可能な一定の規格内で製品のバリエーションを提供しているため、個々の使用者の情報の入手は困難であるだけでなく、レンズメーカーとフレームメーカーの間での情報の共有や開発上の連携は必ずしも十分でなかった。一方、眼鏡店は使用者情報を有するが、前述の構造上・デザイン上の制約を有するメーカーの量産品の中から使用者のニーズに応じた組み合わせを提供せざるを得ないのが実情であった。【００８７】しかし、本発明を適用すれば、ブリッジ部材、ジョイント部材、ノーズパッドを規格化可能であり、個々の使用者ごと情報に基づいたレンズの選択とその切削加工の仕様さえ決定すれば眼鏡レンズ組立体の仕様も一意に定まる。これにより、レンズメーカー、フレームメーカー、眼鏡店の相互間で、部品の仕様の規格化と眼鏡の仕様データ等の情報の共有が可能となれば、部品の開発・設計上の連携強化が図られ、部品の多品種少量生産の効率向上による、使用者のニーズや嗜好を反映させた商品の選択肢拡大が期待できる。【００８８】また、従来の眼鏡製造のノウハウを有さない事業者であっても、規格化された部材とレンズ諸元に基づくジョイント部材の取付位置等のデータがあればフレームや眼鏡を製造可能となる。最終的には、レンズメーカー、フレームメーカー、眼鏡店はもちろん、多様な業界の事業者が、部品のメーカーを問わず完成品の眼鏡を提供できるようになり、従来は事実上困難であった眼鏡の完成品や部品の通信販売や、使用者が自ら組み立てる手作り眼鏡製作キットを普及させることも可能となる。その結果、眼鏡の製造及び流通の形態を、より消費者のニーズを反映できる形態へと変革できる可能性が期待できる。【００８９】さらに、本発明を適用すれば、眼鏡レンズ組立体の主要な部材とレンズの切削加工の仕様の規格化が容易となる。その結果、消費者は、視力���定やレンズ諸元の測定ができる最小限の設備と技能者を備えた場所であればどこでも眼鏡を購入できるようになる。【００９０】たとえば、ファッション用やスポーツ用の眼鏡を例にとれば、アパレルショップや美容院、フィットネスクラブ等のスポーツ施設などに視力測定設備を導入し、店舗スタッフやインストラクター等にレンズ諸元測定の研修を受けさせて技能者とする。そうすれば、店舗や施設内で施設利用者の視力測定・レンズ諸元の測定をして眼鏡レンズ組立体の仕様データを作成するとともに、利用者にフレームのサンプルから好みのフレームを選んでもらい、仕様データとフレームの型番をレンズメーカーあるいはフレームメーカに送って眼鏡を発注し、届いた完成品を店舗や施設で利用者に手渡すことが可能となる。これにより、ファッションやヘアメイクなどとのコーディネイトやスポーツの用途に応じた眼鏡の構造やデザインといった、消費者の眼鏡に対するより実際的かつ具体的なニーズを踏まえた眼鏡選びへの提案が実現できる。【００９１】また、鉄道駅構内等の一角に設備と技能者を備えた簡易な視力測定スペースを設置すれば、通勤帰りに立ち寄った消費者が仕様データを作成して発注し、宅配便で届けられた眼鏡レンズ組立体に、インターネット通販等で別途購入したフレームを自由に組み合わせて使用するといった、従来はおよそ不可能であった眼鏡の購入方法さえ実現し得る。【００９２】  以上の通り、本発明は、単に現状の眼鏡における技術的課題を解決するにとどまらず、眼鏡という量産品でありながらカスタマイズの重要性の高い特性を有する製品に関する製造・流通全般に渡る産業構造を大きく変革し得る可能性を有するものである。
【図面の簡単な説明】
【００９３】
【図１】第一実施形態の眼鏡レンズ組立体１を前方から見た分解図
【図２】第一実施形態の眼鏡レンズ組立体１を後方から見た分解図（後パーツ３０は省略）
【図３】第一実施形態のブリッジ部材の拡大図
【図４】ノーズパーツの拡大図
【図５】ジョイント部材の拡大図
【図６】第一実施形態のレンズの拡大図
【図７】第一実施形態の眼鏡レンズ組立体１を後方から見た組立図１
【図８】第一実施形態の眼鏡レンズ組立体１を後方から見た組立図２
【図９】第一実施形態の眼鏡レンズ組立体１を後方から見た組立図３
【図１０】第一実施形態の眼鏡レンズ組立体１を前方から見た組立図１
【図１１】第一実施形態の眼鏡レンズ組立体１を前方から見た組立図２
【図１２】第一実施形態の眼鏡レンズ組立体１をアッパーリム型眼鏡に適用する場合の分解図１
【図１３】第一実施形態の眼鏡レンズ組立体１をアッパーリム型眼鏡に適用する場合の分解図２
【図１４】第一実施形態の眼鏡レンズ組立体１をアッパーリム型眼鏡に適用する場合の完成図
【図１５】第一実施形態の眼鏡レンズ組立体１をフルリム型眼鏡に前方から適用する場合の分解図１
【図１６】第一実施形態の眼鏡レンズ組立体１をフルリム型眼鏡に前方から適用する場合の分解図２
【図１７】第一実施形態の眼鏡レンズ組立体１をフルリム型眼鏡に前方から適用する場合の完成図
【図１８】第一実施形態の眼鏡レンズ組立体１をフルリム型眼鏡に後方から適用する場合の分解図１
【図１９】第一実施形態の眼鏡レンズ組立体１をフルリム型眼鏡に後方から適用する場合の分解図２
【図２０】第一実施形態の眼鏡レンズ組立体１をフルリム型眼鏡に後方から適用する場合の完成図
【図２１】第一実施形態の眼鏡レンズ組立体１をロウワーリム型眼鏡に適用する場合の分解図１
【図２２】第一実施形態の眼鏡レンズ組立体１をロウワーリム型眼鏡に適用する場合の分解図２
【図２３】第一実施形態の眼鏡レンズ組立体１をロウワーリム型眼鏡に適用する場合の完成図
【図２４】第二実施形態の眼鏡レンズ組立体３の部材分解図１
【図２５】第二実施形態の眼鏡レンズ組立体３の部材分解図２
【図２６】第二実施形態の眼鏡レンズ組立体３の部材分解図３
【図２７】第二実施形態の眼鏡レンズ組立体３の部材分解図４
【図２８】第二実施形態の眼鏡レンズ組立体３の完成図
【図２９】第二実施形態の眼鏡レンズ組立体３をアッパーリム型眼鏡に下方から適用する場合の分解図
【図３０】第二実施形態の眼鏡レンズ組立体３をアッパーリム型眼鏡に下方から適用する場合の完成図
【図３１】第二実施形態の眼鏡レンズ組立体３をアッパーリム型眼鏡に後方から適用する場合の分解図
【図３２】第二実施形態の眼鏡レンズ組立体３をアッパーリム型眼鏡に後方から適用する場合の完成図
【図３３】使用者の顔のタイプによるフレームに対するレンズの傾斜角度の変化を例示した図
【図３４】取付角度調整機構を有するジョイント部材５３の拡大図
【図３５】ジョイント部材５３を適用したアッパーリム型眼鏡の分解図
【図３６】ジョイント部材５３を適用したアッパーリム型眼鏡の完成図
【符号の説明】
【００９４】    １        眼鏡レンズ組立体（第一実施形態）    ２        ブリッジ部材（第一実施形態）    ３        眼鏡レンズ組立体（第二実施形態）    ４        ブリッジ部材（第二実施形態）    １０Ｒ、１０Ｌ   レンズ（第一実施形態）    １１      ブリッジ側端部    １２      切欠部（第一実施形態）    １３      嵌合孔    １４      段差面    １５      係止溝    ２０      前パーツ（第一実施形態）    ２１      前パーツ本体    ２２      係止爪（前パーツ、第一実施形態）    ２３      係止孔（前パーツ、第一実施形態）    ２４      凹部    ２５      突起部    ２６      盲管ネジ孔（第一実施形態）    ３０      後パーツ（第一実施形態）    ３１      後パーツ本体    ３２      係止爪（後パーツ）    ３３      係止孔（後パーツ）    ３４      貫通孔（後パーツ）    ３５      ネジ（第一実施形態）  ４０      ノーズパーツ（第一・第二実施形態に共通）  ４１      ノーズパーツ本体  ４２      装着部  ４３      ノーズパッド  ４４      凸部    ５０      ジョイント部材（第一・第二実施形態に共通）    ５１      係合爪    ５２      ロック部    ５３      取付角度調整機構を有するジョイント部材    ６０      フレーム（アッパーリム型、第一実施形態）    ６１      フレーム（ジョイント部前面フルリム型、第一実施形態）    ６２      フレーム（ジョイント部背面フルリム型、第一実施形態）    ６３      フレーム（ロウワーリム型、第一実施形態）    ６４      フレーム（アッパーリム型、第二実施形態）    ６５      切欠    ６６、６８ａ、６８ｂ    ステー（第二実施形態）    ６７、６９       係合爪（第二実施形態）    ７０Ｒ、７０Ｌ   レンズ（第二実施形態）    ７１      貫通孔（レンズ）    ７２      切欠部（第二実施形態）    ８０      前パーツ（第二実施形態）    ８１      前パーツ本体（第二実施形態）    ８２      係止孔（前パーツ、第二実施形態）    ８３      係止爪（前パーツ、第二実施形態）    ８４      盲管ネジ孔（前パーツ、第二実施形態）    ８５      中パーツ    ８６      凹型切欠    ９０      後パーツ（第二実施形態）    ９１      後パーツ本体（第二実施形態）    ９２      係止孔（後パーツ、第二実施形態）    ９３      係止爪（後パーツ、第二実施形態）    ９４      ネジ（第二実施形態）
【図１】
0005596772.tif 000002
【図２】
0005596772.tif 000003
【図３】
0005596772.tif 000004
【図４】
0005596772.tif 000005
【図５】
0005596772.tif 000006
【図６】
0005596772.tif 000007
【図７】
0005596772.tif 000008
【図８】
0005596772.tif 000009
【図９】
0005596772.tif 000010
【図１０】
0005596772.tif 000011
【図１１】
0005596772.tif 000012
【図１２】
0005596772.tif 000013
【図１３】
0005596772.tif 000014
【図１４】
0005596772.tif 000015
【図１５】
0005596772.tif 000016
【図１６】
0005596772.tif 000017
【図１７】
0005596772.tif 000018
【図１８】
0005596772.tif 000019
【図１９】
0005596772.tif 000020
【図２０】
0005596772.tif 000021
【図２１】
0005596772.tif 000022
【図２２】
0005596772.tif 000023
【図２３】
0005596772.tif 000024
【図２４】
0005596772.tif 000025
【図２５】
0005596772.tif 000026
【図２６】
0005596772.tif 000027
【図２７】
0005596772.tif 000028
【図２８】
0005596772.tif 000029
【図２９】
0005596772.tif 000030
【図３０】
0005596772.tif 000031
【図３１】
0005596772.tif 000032
【図３２】
0005596772.tif 000033
【図３３】
0005596772.tif 000034
【図３４】
0005596772.tif 000035
【図３５】
0005596772.tif 000036
【図３６】
0005596772.tif 000037